(57)【要約】【課題】本発明は、補強部材の一部にアンテナ部を形成することで、部品点数の増加や組立工数の増加が抑制された通信機器を提供することを目的とする。【解決手段】本発明の携帯電話機１は、キー孔１４ａを有する操作部側筐体２と、操作部側筐体２内に配置されるキーシート４０Ｃと、操作部側筐体２とキーシート４０Ｃとの間に配置され孔部１４ｃを有する導電性のキーフレーム４０Ｂと、キーシート４０Ｃの一方側の面に少なくともキー孔１４ａを介して外部に露出して配置される入力操作キー部材１４ｂと、キーシート４０Ｃの反対側に配置されキースイッチ５１、５０と、キーフレーム４０Ｂの一部に形成され所定周波数帯の信号を送受信可能なアンテナ部１０８と、操作部側筐体２内に配置されアンテナ部１０８により送受信される信号を処理する信号処理部１０１ａと、を備えることを特徴とする。【選択図】図２
2008278072.tif 000002
【特許請求の範囲】
【請求項１】
第１開口部を有する筐体と、
前記筐体内に配置される可撓性のシート部材と、
前記筐体と前記シート部材との間に配置され第２開口部を有する導電性の補強部材と、
前記シート部材における前記補強部材側の面に、少なくとも前記第１開口部を介して外部に露出するように配置される操作部材と、
前記シート部材における前記補強部材側と反対側に配置され前記操作部材に対応する位置に配置されるスイッチ部材と、
前記補強部材の一部に形成され所定周波数帯の信号を送受信可能なアンテナ部と、
前記筐体内に配置され前記アンテナ部により送受信される信号を処理する信号処理部と、を備えることを特徴とする通信機器。
【請求項２】
前記アンテナ部は、前記補強部材の前記筐体における端部側に形成される請求項１に記載の通信機器。
【請求項３】
前記スイッチ部材における前記補強部材側と反対の側には、前記信号処理部が実装された回路基板が配置される請求項１又は２に記載の通信機器。
【請求項４】
前記筐体は、内部に基準電位部を有し、
前記補強部材は、前記基準電位部と電気的に接続される請求項１から３のいずれか１項に記載の通信機器。
【請求項５】
前記筐体は、内部に基準電位部を有し、
前記スイッチ部材と前記回路基板との間には、前記基準電位部と電気的に接続される導電性のケース部材が配置され、
前記補強部材は、前記ケース部材と電気的に接続され、前記ケース部材を介して前記基準電位部と電気的に接続される請求項３に記載の通信機器。
【発明の詳細な説明】
【技術分野】
【０００１】
本発明は、携帯電話機等の通信機器に関する。
【背景技術】
【０００２】
従来、通信機器としての携帯電話機として、操作部材としてのキートップと、キートップが配設されたキーシートと、補強部材としてのキーフレームと、キートップに対応して配置されるキースイッチと、を有する電子機器が知られている（特許文献１参照）。
【０００３】
また、近年、携帯電話機等において、小型化や薄型化が求められている。特に、携帯電話機等の通信機器は、使用者が携帯することからも、小型化や薄型化の要請が強くなっている。また、携帯電話機等の通信機器における高機能化により、携帯電話機の内部に複数のアンテナが収納配置される場合が生じている。このような場合には、アンテナ数の増加が携帯電話機等の通信機器における小型化や薄型化を阻害している場合があった。また、アンテナ数の増加は、部品点数の増加や組立工数の増加を生じさせる場合があった。
【特許文献１】特開２００７−７３４４５号公報
【発明の開示】
【発明が解決しようとする課題】
【０００４】
これに対し、特許文献１の電子機器においては、小型化や薄型化の提案はなされていない。特に、アンテナ数の増加に対応できる小型化や薄型化の提案はなされていない。更には、アンテナ数の増加による部品点数の増加や組立工数の増加等を抑制するものではなかった。
【０００５】
本発明は、補強部材の一部にアンテナ部を形成することで、部品点数の増加や組立工数の増加が抑制された通信機器を提供することを目的とする。
【課題を解決するための手段】
【０００６】
本発明は、第１開口部を有する筐体と、前記筐体内に配置される可撓性のシート部材と、前記筐体と前記シート部材との間に配置され第２開口部を有する導電性の補強部材と、前記シート部材における前記補強部材側の面に、少なくとも前記第１開口部を介して外部に露出するように配置される操作部材と、前記シート部材における前記補強部材側と反対側に配置され前記操作部材に対応する位置に配置されるスイッチ部材と、前記補強部材の一部に形成され所定周波数帯の信号を送受信可能なアンテナ部と、前記筐体内に配置され前記アンテナ部により送受信される信号を処理する信号処理部と、を備えることを特徴とする通信機器に関する。
【０００７】
また、前記アンテナ部は、前記補強部材の前記筐体における端部側に形成されることが好ましい。
【０００８】
また、前記スイッチ部材における前記補強部材側と反対の側には、前記信号処理部が実装された回路基板が配置されることが好ましい。
【０００９】
また、前記筐体は、内部に基準電位部を有し、前記補強部材は、前記基準電位部と電気的に接続されることが好ましい。
【００１０】
また、前記筐体は、内部に基準電位部を有し、前記スイッチ部材と前記回路基板との間には、前記基準電位部と電気的に接続される導電性のケース部材が配置され、前記補強部材は、前記ケース部材と電気的に接続され、前記ケース部材を介して前記基準電位部と電気的に接続されることが好ましい。
【発明の効果】
【００１１】
本発明によれば、補強部材の一部にアンテナ部を形成することで、部品点数の増加や組立工数の増加が抑制された通信機器を提供することができる。
【発明を実施するための最良の形態】
【００１２】
以下、図面を参照して本発明を実施するための最良の形態を説明する。なお、以下、通信機器として携帯電話機１について説明するが、本発明はこれに限定されるものではない。例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００１３】
図１により、電子機器としての携帯電話機１における基本構造を説明する。図１は、携帯電話機１を開いた状態における外観斜視図を示す。
図１に示すように、携帯電話機１は、操作部側筐体２（筐体）と、表示部側筐体３と、を備える。操作部側筐体２と表示部側筐体３とは、ヒンジ機構を備える連結部４を介して開閉可能に連結されている。具体的には、操作部側筐体２の上端部と表示部側筐体３の下端部とは、連結部４を介して連結されている。これにより、携帯電話機１は、ヒンジ機構を介して連結された操作部側筐体２と表示部側筐体３とを相対的に動かすことが可能になる。つまり、携帯電話機１は、操作部側筐体２と表示部側筐体３とが開いた状態（開状態）にしたり、操作部側筐体２と表示部側筐体３とが折り畳まれた状態（閉状態）にしたりすることができる。ここで、閉状態とは、両筐体が互いに重なるように配置された状態であり、開状態とは、両筐体が互いに重ならないように配置された状態をいう。
【００１４】
操作部側筐体２は、外面がフロントケース２ａとリアケース２ｂとにより構成される。この操作部側筐体２は、フロントケース２ａ側に、操作キー群１１と、携帯電話機１の使用者が通話時に発した音声が入力されるマイクとしての音声入力部１２とがそれぞれ露出するように構成される。
【００１５】
操作キー群１１は、各種設定や電話帳機能やメール機能等の各種機能を作動させるための機能設定操作キー１３、電話番号の数字やメール等の文字等を入力するための入力操作キー１４、各種操作における決定や上下左右方向のスクロール等を行う操作部材としての決定操作キー１５により構成されている。操作キー群１１を構成する各キーそれぞれには、操作部側筐体２と表示部側筐体３との開閉状態や各種モード、或いは起動されているアプリケーション等の種類に応じて所定の機能が割り当てられている（キー・アサイン）。そして、使用者が各キーを押圧することにより、各キーに割り当てられている機能に応じた動作が実行される。
【００１６】
音声入力部１２は、操作部側筐体２の長手方向における連結部４側と反対の外端部側に配置される。つまり、音声入力部１２は、携帯電話機１が開状態において一方の外端部側に配置される。
【００１７】
操作部側筐体２における一方側の側面には、外部機器（例えば、ホスト装置）と通信を行うためのインターフェース（図示せず）が配置されており、インターフェースは、キャップ１６により覆われている。操作部側筐体２の他方側の側面には、所定の機能が割り当てられているサイドキー３０と、外部メモリの挿入及び取り出しが行われるインターフェース（図示せず）とが配置されており、インターフェースは、キャップ３１により覆われている。
【００１８】
表示部側筐体３は、外面がフロントケース３ｂとリアケース３ｃとにより構成される。表示部側筐体３におけるフロントケース３ｂには、各種情報を表示するための表示部２１と、通話の相手側の音声を出力するレシーバとしての音声出力部２２と、が露出するように構成される。ここで、表示部２１は、液晶パネルと、この液晶パネルを駆動する駆動回路と、この液晶パネルの背面側から光を照射するバックライト等の光源部とから構成される。
【００１９】
次いで、図２及び図３により、操作部側筐体２及び表示部側筐体３の内部構造について説明する。図２は、操作部側筐体２に内蔵される部材の分解斜視図である。図３は、表示部側筐体３に内蔵される部材の分解斜視図である。
【００２０】
図２に示すように、操作部側筐体２は、フロントケース２ａと、キー構造部４０と、フレキシブル配線基板５０と、ケース体６０と、基準電位パターン層及び携帯電話機用のＲＦ（Ｒａｄｉｏ  Ｆｒｅｑｕｅｎｃｙ）モジュール等の各種電子部品を備える回路基板７０と、音声入力部１２と、バッテリリッド２ｃを備えたリアケース２ｂと、バッテリ８０とを備える。
【００２１】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部４０と、フレキシブル配線基板５０と、ケース体６０と、回路基板７０とが挟まれるようにして内蔵される。つまり、回路基板７０を覆うようにしてケース体６０が積層配置され、また、ケース体６０の上面側にフレキシブル配線基板５０が積層配置され、また、フレキシブル配線基板５０の上面にキー構造部４０が積層配置される。
【００２２】
フロントケース２ａには、携帯電話機１を折り畳んだ状態で表示部側筐体３の表示部２１と対向する内側面に、第１開口部としてのキー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出される。この露出した機能設定操作キー部材１３ｂ、入力操作キー部材１４ｂ及び決定操作キー部材１５ｂの押圧面を押し下げるように押圧することで、対応するキースイッチ５１、５２、５３それぞれに設けられる後述のメタルドーム（椀状形状）の頂点が押圧され、スイッチ端子に接触して電気的に導通する。
【００２３】
キー構造部４０は、操作部材４０Ａと、補強部材としてのキーフレーム４０Ｂと、シート部材としてのキーシート４０Ｃと、により構成される。
【００２４】
操作部材４０Ａは、複数のキー操作部材により構成される。具体的には、機能設定操作キー部材１３ｂと、入力操作キー部材１４ｂと、決定操作キー部材１５ｂとにより構成される。操作部材４０Ａを構成する各操作キー部材それぞれは、後述するキーフレーム４０Ｂを挟んでキーシート４０Ｃに接着される。キーシート４０Ｃに接着された各操作キー部材それぞれにおける押圧面は、上述の通り、キー孔１３ａ、１４ａ、１５ａそれぞれから外部に露出して配置される。具体的には、機能設定操作キー部材１３ｂは、キー孔１３ａを介して押圧面が露出するように配置される。また、入力操作キー部材１４ｂは、キー孔１４ａを介して押圧面が露出するように配置される。また、決定操作キー部材１５ｂは、キー孔１５ａを介して押圧面が露出するように配置される。
【００２５】
キーフレーム４０Ｂは、第２開口部としての孔部１４ｃが複数形成された金属性の板状部材である。キーフレーム４０Ｂは、入力操作キー部材１４ｂの押圧による回路基板７０等への悪影響を防ぐための補強部材である。また、キーフレーム４０Ｂは導電性の部材であり、入力操作キー部材１４ｂにおける静電気を逃がすための部材としても機能する。キーフレーム４０Ｂに形成される複数の孔部１４ｃには、後述するキーシート４０Ｃに形成される凸部１４ｄが嵌合するように配置される。そして、この凸部１４ｄに入力操作キー部材１４ｂが接着される。
【００２６】
孔部１４ｃは、凸部１４ｄの外周よりも大きく、かつ、入力操作キー部材１４ｂの外周よりも小さくなるように形成される。孔部１４ｃがこのように形成されるので、孔部１４ｃの周囲に形成される格子部１４ｅには、入力操作キー部材１４ｂの外周が載置される。
入力操作キー部材１４ｂの押圧面が押下された場合、押圧面が撓むと共に、格子部１４ｅに載置された外周は格子部１４ｅに支持される。つまり、キーフレーム４０Ｂにより、キー操作に必要な変形が得られると共に、回路基板７０に過剰な圧力が加えられることを抑制できる。
【００２７】
キーフレーム４０Ｂは、後述するケース体６０に固定孔４２に挿通された導電性の固定部材により固定される。キーフレーム４０ｂは、ケース体６０と電気的に接続される。ここで、入力操作キー部材１４ｂは、入力操作キー部材１４ｂの外周が当接する格子部１４ｅを介してケース体６０に電気的に接続される。そして、後述のようにケース体６０は基準電位部としての基準電位パターン層７５に電気的に接続されるので、キーフレーム４０Ｂは、ケース体６０を介して基準電位パターン層７５と電気的に接続される。
【００２８】
キーフレーム４０Ｂにおける一部には、所定周波数帯の信号を受信可能な送受信用アンテナ部１０８が形成される。送受信用アンテナ部１０８は、キーフレーム４０Ｂにおける端部側に形成される。具体的には、送受信用アンテナ部１０８は、操作部側筐体２における連結部４側と反対の端部側に形成される。更に具体的には、送受信用アンテナ部１０８は、入力操作キー部材１４ｂに対応する孔部１４ｃが形成される領域から上述の端部側に延在するようにして形成される。
【００２９】
キーフレーム４０Ｂの一部に形成される送受信用アンテナ部１０８は、後述するフレキシブル配線基板５０に配置される給電端子１０７から給電される。送受信用アンテナ部１０８は、給電端子１０７と協働して送受信用アンテナ１０９を構成する。
【００３０】
キーフレーム４０Ｂの一部に形成される送受信用アンテナ部１０８は、入力操作キー部材１４ｂに対応する孔部１４ｃが形成される領域と一体的に形成される。つまり、送受信用アンテナ部１０８を含むキーフレーム４０Ｂは、一の金型により一体的に成型されることで得られる。ここで、実施形態において、送受信用アンテナ部１０８の形状は逆Ｆ形状であるが、これに限定されず、要求される送受信機能等に基づいて所定形状に形成される。
【００３１】
キーシート４０Ｃは、可撓性を有するシリコンゴム製のシート状部材である。キーシート４０Ｃには、上述の通り、複数の凸部１４ｄが形成される。複数の凸部１４ｄは、キーシート４０Ｃにおけるキーフレーム４０Ｂが配置される側の面に形成される。この複数の凸部１４ｄそれぞれは、後述するキースイッチ５２に対応する位置に形成される。
【００３２】
複数の凸部１４ｄそれぞれは、キーフレーム４０Ｂに形成される複数の孔部１４ｃそれぞれに嵌合するようにして配置される。複数の孔部１４ｃそれぞれに嵌合するように配置される複数の凸部１４ｄにおける頂面には、入力操作キー部材１４ｂが接着剤により接合される。
【００３３】
凸部１４ｄに接合された入力操作キー部材１４ｂの押圧面が押下されることで押圧面の中央部が撓む。これにより、凸部１４ｄも押下方向に変形される。この変形により、後述する凸部１４ｄの押下方向に配置されるキースイッチ５２が接続状態となる。
【００３４】
スイッチ部材としてのフレキシブル配線基板５０は、キーシート４０Ｃ側に配置される複数のキースイッチ５１、５２、５３を有する。複数のキースイッチ５１、５２、５３それぞれは、各操作部材４０Ａに対応する位置に配置される。
【００３５】
フレキシブル配線基板５０に配置されるキースイッチ５１、５２、５３は、椀状に湾曲して立体的に形成された金属板のメタルドームを有する構造になっている。メタルドームは、その椀状形状の頂点が押圧されると、フレキシブル配線基板５０の表面に印刷された電気回路（図示せず）に形成されるスイッチ端子に接触して電気的に導通するように構成される。なお、フレキシブル配線基板５０は、複数の絶縁フィルムの間に配線を挟み込んだものである。
【００３６】
フレキシブル配線基板５０は、上述の送受信用アンテナ部１０８に当接するように配置される給電端子１０７を有する。上述のように、給電端子１０７は、アンテナ部１０８と協働して送受信用アンテナ１０９を構成する。給電端子１０７は、複数のキースイッチ５１、５２、５３と同じ面に配置される。また、給電端子１０７は、フレキシブル配線基板５０における端部側に配置される。具体的には、給電端子１０７は、送受信用アンテナ部１０８に当接可能な位置である操作部側筐体２の連結部４側と反対の端部側に配置される。
【００３７】
本実施形態における給電端子１０７は、容器部に収容されるバネと端子部とを有し、端子部が突出及び押し込み自在に構成されるスプリングコネクタである。このスプリングコネクタにおける端子部は、送受信用アンテナ部１０８の厚さへの移動に追従して当接状態を維持する。
【００３８】
ここで、フレキシブル配線基板５０は、後述するケース体６０における平板部６１に載置される。フレキシブル配線基板５０がケース体６０における平板部６１に載置されるので、操作部材４０Ａそれぞれが押圧されることによる圧力や撓みは、ケース体６０の下方に配置される回路基板７０に伝達されにくい。
【００３９】
ケース体６０は、薄型の直方体における一の広い面が開口した形状を有する導電性の部材である。ケース体６０は、平板部６１における開口側の面に略垂直に形成されるリブを有する。リブは、回路基板７０に実装される各種電子部品のうち最も高さのある電子部品の高さと同等又はそれよりも十分に高くなるよう形成される。リブは、平板部６１の周縁及び内側に基準電位パターン層７５に対応するように形成される。具体的には、ケース体６０が回路基板７０に載置された状態で、基準電位パターン層７５上に配置されるようにリブが形成される。なお、ケース体６０は、金属により形成するほか、骨格を樹脂により形成し、その表面に導体膜を形成したものでもよい。
【００４０】
ケース体６０は、リブの底面が基準電位パターン層７５に当接されることで、基準電位パターン層７５と電気的に接続される。ケース体６０は、基準電位パターン層７５と電気的に導通して該基準電位パターン層７５と同じ大きさの電位を有するようになる。つまり、ケース体６０は、シールドケースとして機能する。ケース体６０は、シールドケースとして外部からのノイズが回路基板７０に配置される不図示の各種電子部品に作用するのを防ぐと共に、ＲＦ（Ｒａｄｉｏ  Ｆｒｅｑｕｅｎｃｙ）回路等の高周波回路から放出されるノイズを吸収して、他の電子部品に作用することを防ぐ。具体的には、ケース体６０におけるリブの底面が基準電位パターン層７５上に配置されることで、後述する各回路はリブにより囲われると共に平坦部の一部により覆われる。リブは、各回路における隔壁として機能し、ケース体６０の一部と共に各回路をシールドする。
【００４１】
ケース体６０にはフレキシブル配線基板５０が載置されると共に、キーフレーム４０Ｂが固定孔４２において金属性のネジ部材等により固定される。つまり、キーフレーム４０Ｂは、ケース体６０に電気的に接続される。
【００４２】
回路基板７０には、アンテナ部１０８が送受信する信号を処理する信号処理部１０１ａを含む不図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００４３】
回路基板７０には、基準電位部としての基準電位パターン層７５が形成される。基準電位パターン層７５は、各回路ブロックを区画するように形成される。基準電位パターン層７５は、導電性の部材を回路基板７０の表面に所定パターンで印刷することで形成される。
【００４４】
回路基板７０とケース体６０とは複数の連結部Ａにおいて着脱可能に部分的に固定される。具体的には、図２に示す回路基板７０の４隅に形成される回路基板側ネジ孔と、ケース体６０の４隅に所定の部材を配置して形成したケース体側ネジ孔（不図示）を重ね合わせた状態で、該重なり合わされたネジ孔にネジ部材を螺合させることで、回路基板７０とケース体６０とは着脱可能に固定される。
【００４５】
具体的には、基準電位パターン層７５にリブの底面が当接された状態でケース体６０は回路基板７０と固定される。つまり、回路基板７０における基準電位パターン層７５とケース体６０とは電気的に接続される。ここで、上述のように、キーフレーム４０Ｂはケース体６０と電気的に接続されるので、キーフレーム４０Ｂは、ケース体６０を介して基準電位パターン層７５と電気的に接続される。
【００４６】
リアケース２ｂには、取り外し可能なバッテリリッド２ｃが設けられており、バッテリ８０をリアケース２ｂの外側から収納した後、リアケース２ｂに装着される。また、リアケース２ｂには、ユーザの音声を入力する音声入力部１２が収容される。
【００４７】
図３に示すように、表示部側筐体３は、フロントパネル３ａと、音声出力部２２と、フロントケース３ｂと、スピーカ２３と、表示部２１と、表示部２１が接続されたプリント基板８５と、リアケース３ｃと、リアパネル３ｄと、を備える。
【００４８】
表示部側筐体３は、フロントパネル３ａと、フロントケース３ｂと、表示部２１と、プリント基板８５と、リアケース３ｃと、リアパネル３ｄとがそれぞれが積層的に配置される。具体的には、フロントケース３ｂとリアケース３ｃとは、互いの凹状の内側面が向き合うように配置され、互いの外周縁が重なり合うようにして結合される。
【００４９】
そして、フロントケース３ｂとリアケース３ｃとの間には、表示部２１が接続されたプリント基板８５が挟まれるようにして内蔵される。プリント基板８５には、不図示のアンプと接続されるスピーカ２３が接続される。
【００５０】
なお、本実施形態においては、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（リボルバ）式や、操作部側筐体２と表示部側筐体３とが一つの筐体に配置され連結部を有さない型式（ストレートタイプ）でもよい。
【００５１】
次に、図４により、携帯電話機１の構成について説明する。図４は、携帯電話機１の構成を説明するブロック図である。図４に示すように、携帯電話機１は、ＣＰＵ１００、ＲＦ（Ｒａｄｉｏ  Ｆｒｅｑｕｅｎｃｙ）回路部１０１、音声処理部１０２、メモリ部１０３、電源回路部１０４、画像処理部１０５、操作部１０６、バッテリ８０を有する。
【００５２】
ＲＦ回路部１０１は、不図示の基地局を介した無線通信動作、例えば、電話番号の発呼動作や電子メールの送受信動作等を行う。ＲＦ回路部１０１は、送受信用アンテナ１０９を含んで構成され、電波を利用した無線通信で行うために後述のＣＰＵ１００で処理された音声情報、画像情報、電子メール等を変調して送受信用アンテナ１０９により基地局（図示せず）に送信する。なお、本実施形態においては、送受信用アンテナ１０９は、操作部側筐体２に内蔵され、操作部側筐体２の外部に露出されていない構成となっている。具体的には、上述の通り、送受信用アンテナ１０９は、キーフレーム４０Ｂの一部であるアンテナ部１０８とフレキシブル配線基板５０に配置される給電端子１０７とにより構成され、操作部側筐体２に収納される。
【００５３】
送受信用アンテナ１０９は、所定の使用周波数帯（例えば、８００ＭＨｚ）で外部装置（基地局）と通信を行う。所定の使用周波数帯として、８００ＭＨｚを例示したが、これ以外の周波数帯であってもよい。また、送受信用アンテナ１０９は、所定の使用周波数帯の他に、第２の使用周波数帯（例えば、２ＧＨｚ）に対応できる、いわゆるデュアルバンド対応型による構成であっても良いし、さらに、第３の使用周波数帯にも対応できる複数バンド対応型により構成されていてもよい。
【００５４】
信号処理部１０１ａは、送受信用アンテナ１０９により受信された信号を復調処理し、送受信用アンテナ１０９から送信される信号を変調する。
【００５５】
音声処理部１０２は、音声入力部１２と、音声出力部２２と、スピーカ２３と、を含んで構成される。音声入力部１２は、集音したユーザの音声を音声処理部１０２に供給する。音声入力部１２により集音された音声は、音声処理部１０２において、アナログ音声信号からデジタル音声信号に変換される。そして、変換されたデジタル音声信号は、ＣＰＵ１００において、フィルタ処理や符号化処理等の所定の処理がなされる。また、音声処理部１０２は、ＣＰＵ１００により供給された着信音データ等のデジタル音声情報に対して所定の処理を行うことによりアナログ音声信号に変換し、音声出力部２２から出力させる。
【００５６】
メモリ部１０３は、ＥＥＰＲＯＭ等の不揮発性メモリを含んで構成され、通話やメールの送受信のための制御プログラム、インターネットブラウザ、メッセージデータ、名前および電話番号等が登録されたアドレス帳等を記憶する。
【００５７】
電源回路部１０４は、バッテリ８０からの電力が一定になるように電源を調整する。
【００５８】
画像処理部１０５は、表示部２１に接続される。表示部２１は、液晶表示装置（ＬＣＤ）等の表示ディバイスを有し、例えば、電子メールのテキストやメモリ部１０３に格納された様々なテキストを表示する。画像処理部１０５は、ユーザが操作部１０６を操作することにより得られた各種データを表示可能に処理し、表示部２１に表示させる。
【００５９】
操作部１０６は、各種操作キー群１１を含んで構成される。操作キー群１１を構成する各キーそれぞれには、操作部側筐体２と表示部側筐体３との開閉状態や各種モード、或いは起動されているアプリケーション等の種類に応じて所定の機能が割り当てられており、ユーザが各キーを押下することにより、各キーに割り当てられている機能に応じた動作が実行される。
【００６０】
ＣＰＵ１００は、マイクロコンピュータを主体として構成され、携帯電話機１の全体の制御を行う。ＣＰＵ１００は、後述する算出手段として機能するほか、ＲＦ回路部１０１における各種情報の無線による送受信の制御、音声情報の出力変換等の制御、表示部２１へ情報表示に関する制御、操作部１０６の入力情報に応じた処理等の制御を行う。
【００６１】
本実施形態によれば、操作部を構成するキーフレーム４０Ｂの一部にアンテナ部１０８を一体的に形成することで、部品点数の増加や組立工数の増加を抑制することができる。
【００６２】
また、本実施形態によれば、キーフレーム４０Ｂの一部にアンテナ部１０８を形成したので、該携帯電話機１を小型や薄型化することができる。
【００６３】
また、本実施形態によれば、キーフレーム４０Ｂの一部にアンテナ部を形成することができるので、複数のアンテナ部を一の部材に形成することができる。また、アンテナ部の形成位置における自由度が向上される。
【００６４】
また、本実施形態によれば、アンテナ部１０８は、厚さの薄いキーフレーム４０Ｂの一部により構成されるので、このアンテナ部１０８を部材同士の隙間に配置することも可能である。これにより、設計上の自由度が向上されると共に、携帯電話機１を小型化や薄型化することができる。
【００６５】
また、本実施形態によれば、アンテナ部１０８が操作部側筐体２における端部側に延在して形成されるので、使用時において人の手による影響を受けにくい。これにより、アンテナ感度の低下を抑制することができる。
【００６６】
また、本実施形態によれば、回路基板７０から離間するキーフレーム４０Ｂの一部にアンテナ部１０８が形成されるので、電子部品や金属等が配置される回路基板７０から離間した位置にアンテナ部１０８が形成される。これにより、アンテナ感度の低下を抑制することができる。
【００６７】
また、本実施形態によれば、従来から静電気対策がなされているキーフレーム４０Ｂの一部にアンテナ部１０８を形成したので、改めて静電気対策のために部材や部位を設ける必要がない。
【００６８】
また、本実施形態によれば、アンテナ部１０８が形成されるキーフレーム４０Ｂと回路基板７０との間にフレキシブル配線基板５０が配置されるので、アンテナ部１０８と回路基板７０との距離を確保することができる。これにより、アンテナ感度の低下を抑制することができる。
【００６９】
更に、本実施形態によれば、フレキシブル配線基板５０と回路基板７０との間に静電対策がなされているケース体６０が配置されるので、回路基板７０基板の保護及び静電対策の強化を好適に図ることができる。
【００７０】
以上、本形態の好適な実施形態について説明したが、本発明は上述した実施形態に限定されることなく種々の形態で実施することができる。例えば、本実施形態において、キーフレーム４０Ｂには一のアンテナ部１０８が形成されるが、これに限定されず、図５に示すように、キーフレームには複数のアンテナ部４０１、４０２、４０３、４０４が形成されてもよい。また、アンテナ部の位置や形成も限定されない。また、複数のアンテナ部４０１、４０２、４０３、４０４それぞれにおける機能が異なるように構成してもよい。例えば、複数のアンテナ部４０１、４０２、４０３、４０４それぞれを通信用のメインアンテナ、サブアンテナ、ＧＰＳ用アンテナ、ＢＬＵＥＴＯＯＴＨ用アンテナのいずれかとするように構成できる。このようにすることで、異なる機能を有する複数のアンテナを一の部材で形成できる。これにより、部品点数の増加や組立工数の増加を抑制できると共に、携帯電話機１の小型化や薄型化を図ることができる。
【００７１】
また、本実施形態において、給電端子として、容器部に収容されるバネと端子部とを有し、端子部が突出及び押し込み自在に構成されるスプリングコネクタを用いているが、これに限定されず、所定の弾性を有する部材であればよい。例えば、板状の金属部材を折り曲げて弾性を生じさせた弾性部材等を例示できる。
【図面の簡単な説明】
【００７２】
【図１】携帯電話機１を開いた状態における外観斜視図を示す。
【図２】操作部側筐体２に内蔵される部材の分解斜視図である。
【図３】表示部側筐体３に内蔵される部材の分解斜視図である。
【図４】携帯電話機１の構成を説明するブロック図である。
【図５】アンテナ部における他の実施形態を説明する斜視図を示す。
【符号の説明】
【００７３】
１        携帯電話機
２        操作部側筐体
３        表示部側筐体
１１      操作キー群
１４ａ    キー孔
１４ｃ    孔部
４０      キー構造部
４０Ａ    操作部材
４０Ｂ    キーフレーム
４０Ｃ    キーシート
５０      フレキシブル配線基板
６０      ケース体
７０      回路基板
７５      基準電位パターン層
１０１ａ  信号処理部
１０６    操作部
１０７    給電端子
１０８    アンテナ部
１０９    送受信用アンテナ
【図１】
2008278072.tif 000003
【図２】
2008278072.tif 000004
【図３】
2008278072.tif 000005
【図４】
2008278072.tif 000006
【図５】
2008278072.tif 000007